(57)【要約】【課題】  血管造影検査及び血管内手術中に保管される様々な医療用器具を容易かつ迅速に取り出す事が出来ると共に、各種の血管造影検査及び血管内手術を一つの補助台で行うことができ、しかも、手術室の限られたスペースを有効に活用する事ができる血管造影検査及び血管内手術の保管台を提供する【解決手段】  補助台は、キャスター等で移動可能な支持架台とその上に設けられたトレーから構成される。その補助台は２つで構成され、２つの補助台のトレーには連結器具が４個ずつ設けられており、この連結器具を組み合わせる事により、完全に独立した形・正方形・長方形・Ｌ字型の補助台を構成する。【選択図】      図１
0003104340.tif 000002
【実用新案登録請求の範囲】
【請求項１】
医療用器具を血管造影検査及び血管内手術中に保管するために使用される補助台であり、移動可能な支持架台と、支持架台上に設けられた、医療用具を収納可能なトレーから構成される。前記トレーは、２つの長方形トレーが側面部に付いた凹凸型の連結器具により１つのトレーを構成する機構が設けられることを特徴とする変体型血管造影検査及び血管内手術の補助台。
【請求項２】
前項トレーが２分割され、完全に独立した２つのトレーから構成され、また、そのトレーの側面部と側面部・端部と端部・側面部と端部を組み合わせる事により、それぞれ正方形・長方形・Ｌ字形に変形する事を特徴とする変体型血管造影検査及び血管内手術の補助台。
【考案の詳細な説明】
【技術分野】
【０００１】  本考案は、血管造影検査及び血管内手術中にカテーテル等の医療用器具を、検査中及び術中に保管するために使用される補助台。
【背景技術】
【０００２】  現在、血管造影検査及び血管内手術は検査及び手術の性質上、同じ手術室で行われている。【０００３】  血管造影検査時には、基本的には１本のカテーテル及び一本のガイドワイヤーと呼ばれるカテーテルを操作する為の医療器具を使用し、その他に血管造影剤や生理食塩水を入れた医療用器具等を保管しなければならない。【０００４】  血管内手術には多種多様のカテーテルと呼ばれるチューブ状の治療器具が使用されている。これらのカテーテルは、従来、直径５０ｃｍ程度の丸い桶のような容器に丸めて保管している。【０００５】  また、血管内手術及び血管造影検査は、その性質上、同じ手術室で行わなければならない。
【考案の開示】
【考案が解決しようとする課題】
【０００６】  前述のような従来の技術では、次のような課題がある。【０００７】（１）血管造影検査及び血管内手術は、その性質上、同じ手術室で検査及び手術を行っており、それぞれ種類・数量の異なる医療用器具を使うために、２つの補助台を使う必要がある。【０００８】（２）血管内手術の中でも手技によって、使用する器材が異なるので、これに合わせて補助台の形態も変える必要がある。【０００９】（３）同じ手術室で各種の血管造影検査及び血管内手術に必要な補助台を各々収納するのは困難である。限られたスペースでは補助台を必要以上に置くと身動きが取りづらく、検査及び手術に支障をきたす恐れがある。【００１０】  本考案は、このような課題を解決すべくなされたもので、その目的は、術中に保管されるカテーテル等を容易かつ迅速に取り出す事が出来ると共に、各種の血管造影検査及び血管内手術を一つの補助台で行うことができ、しかも、手術室の限られたスペースを有効に活用する事ができる血管造影検査及び血管内手術の保管台を提供することにある。
【課題を解決するための手段】
【００１１】  本考案の請求項１は、医療用器具を血管造影検査及び血管内手術中に保管するために使用される補助台であり、移動可能な支持架台と、支持架台上に設けられ、医療用具を収納可能なトレーから構成され、前記トレーは、２つの長方形トレーが側面部に付いた凹凸型の連結器具により１つのトレーを構成する機構が設けられることを特徴とする変体型血管造影検査及び血管内手術の補助台である（図１あるいは図２参照）。【００１２】  この請求項１において、２つの長方形トレーが側面部に付いた凹凸形の連結器具により１つのトレーを構成する機構を設けるとされている。凹凸型の接合部分は２つのトレーが隙間なく、ずれないように連結する。例えば、図１・図２で示すように１つのトレーには、トレーの側面部上方に凸型の連結器具がくるように加工し、もう１つのトレーには、トレーの側面部下方に凹型の連結器具がくるように加工し、トレーの側面部上方に設けられた凸型の連結器具と側面部下方に設けられた凹型の連結器具が組み合わさる事で、１つの連結部分となる。２つのトレーに、この連結部分を複数設ける事により隙間なく連結された１つのトレーを形成する。このとき、図３のように、連結部分が外れないように固定器具で固定する。【００１３】  本考案の請求項２では医療用器具を血管造影検査及び血管内手術中に保管するために使用される補助台であり、移動可能な支持架台と、支持架台上に設けられ、医療用具を収納可能なトレーから構成され、前記トレーは、２つの長方形トレーが側面部に付いた凹凸型の連結器具により１つのトレーを構成する機構が設けられ、かつ、前記トレーが２分割され、完全に独立した２つのトレーから構成され、また、そのトレーの側面部と側面部・端部と端部・側面部と端部を組み合わせる事により、それぞれ正方形・長方形・Ｌ字形に変形する事を特徴とする変体型血管造影検査及び血管内手術の補助台である。【００１４】  この請求項２は、請求項１の図１や図２の補助台において、補助台を図３に示すように２つのトレーの側面部と側面部を結合させた形態、図４のように２つのトレーの端部と端部を結合させた形態、図５及び図６のようにトレーの側面部と端部を結合した形態をとる変体型血管造影検査及び血管内手術の補助台である。
以上のような構成の補助台によれば、次のような作用が得られる。【００１５】（１）補助台を変体型にしているため、形態を変えることで、血管造影検査及び血管内手術の両方の治療行為を１つの補助台で行うことができる。【００１６】（２）手技の内容に合わせて自在に補助台の形態を変えることができる。【００１７】（３）補助台を変体型にしているため、その手術室の状態に応じて自由に形態を変えることが出来るので、手術を行う医師の動きを妨げず、手術室の限られたスペースを有効に活用することができる。
【考案の実施するための最良の形態】
【００１８】  以下、本考案を図示する一実施形態に基づいて説明する。この実施形態は、血管造影検査及び血管内治療に用いられる治療用器具の術中の保管に適用した例である。図１は、本考案の補助台の基本的な構造の一例を示す斜視図である。図２（ａ）、（ｂ）、（ｃ）は、図１の平面図、正面図、側面図である。図３、図４、図５、図６は、本考案の補助台の具体的な変形の例である。図３は正方形の場合、図４は長方形の場合、図５と図６はＬ字型の場合である。
【００１９】  図１と図２の実施形態において、本考案の補助台１ａ及び補助台１ｂは移動可能な支持架台２と、この支持架台２の上に設けられ、連結器具を有するトレー３ａとトレー３ｂからそれぞれ構成されている。
【００２０】  支持架台２は、例えば、４本の脚２０と、各脚同士を下部において連結する連結板２１からなり、各脚２０の上部にトレー３ａのトレー３ｂの４隅部を一体的に取り付けることで、簡易な構成の補助台１ａ及び補助台１ｂとしている。また、各脚２０の下部には、水平旋回自在のキャスター２２を取り付けあらゆる方向に移動可能としている。
【００２１】  トレー３ａの側面部には、側面部上方に設けられた凸型の連結器具３２ａが４つ取り付けられており、また、トレー３ｂの側面部下方には凹型の連結器具３２ｂが４つ設けられている。この連結器具３１ａと連結器具３１ｂが隙間なく合わさることにより、トレー３ａとトレー３ｂをひとつのトレーとして構成することができる。また、固定器具３２を取り付ける事により、連結器具３１ａと連結器具３１ｂが外れないように固定する事ができる。
【００２２】  次に、図３の実施形態は、トレー３ａとトレー３ｂの側面部と側面部を結合させ１つの正方形の補助台として利用した場合である。この場合、使用されない固定器具３３は、例えば、トレー３ａとトレー３ｂの側面部下方に設置されたフック３３に収納してもよい。
【００２３】  図４の実施形態はトレー３ａとトレー３ｂの端部と端部を組み合わせ、長方形で使用した場合である。
【００２４】  また、図５と図６はトレー３ａとトレー３ｂの端部と側面部を組み合わせ、Ｌ字型で使用した場合である。
【００２５】  図４、図５、図６に関して、その他の構成及び作用効果は、図１、図２、図３の実施形態と同様である。
【考案の効果】
【００２６】（１）補助台を変体型にしているため、形態を変えることで、血管造影検査及び血管内手術の両方の治療行為を１つの補助台で行うことができる。
（２）手技の内容に合わせて自在に補助台の形態を変えることができる。
【００２７】（３）補助台を変体型にしているため、その手術室の状態に応じて自由に形態を変えることが出来るので、手術を行う医師の動きを妨げず、手術室の限られたスペースを有効に活用することができる。
【図面の簡単な説明】
【図１】  本考案の変体型血管造影検査及び血管内手術の補助台の基本的な構造の一実施形態を示す斜視図である。
【図２】  図１の補助台であり、（ａ）は平面図、（ｂ）は正面図、（ｃ）は側面図である。
【図３】  本考案の変体型血管造影検査及び血管内手術の補助台の具体的な実施形態であり、２つの補助台を正方形に斜視図である。
【図４】  本考案の変体型血管造影検査及び血管内手術の補助台の具体的な実施形態であり、２つの補助台を長方形に構成した場合の斜視図である。
【図５】  本考案の変体型血管造影検査及び血管内手術の補助台の具体的な実施形態であり、トレー３ａの側面部にトレー３ｂの端部を接続し、Ｌ字型の１つの補助台を構成した場合の斜視図である。
【図６】  本考案の変体型血管造影検査及び血管内手術の補助台の具体的な実施形態であり、トレー３ａの端部にトレー３ｂの側面部を接続し、Ｌ字型の１つの補助台を構成した場合の斜視図である。
【符号の説明】
１・・・・・・補助台
２・・・・・・支持架台
３ａ・・・・・・トレーａ
３ｂ・・・・・・トレーｂ
２０・・・・・・脚
２１・・・・・・連結板
２２・・・・・・キャスター
３１・・・・・・連結器具
３２・・・・・・固定器具
３３・・・・・・フック
【図１】
0003104340.tif 000003
【図２】
0003104340.tif 000004
【図３】
0003104340.tif 000005
【図４】
0003104340.tif 000006
【図５】
0003104340.tif 000007
【図６】
0003104340.tif 000008
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
医療用器具を血管造影検査及び血管内手術中に保管するために使用される補助台であり、移動可能な支持架台と、支持架台上に設けられた、医療用具を収納可能なトレーから構成される。前記トレーは、２つの長方形トレーが側面部に付いた凹凸型の連結器具により１つのトレーを構成する機構が設けられることを特徴とする変体型血管造影検査及び血管内手術の補助台。
【請求項２】
完全に独立した２つのトレーから構成され、また、そのトレーの側面部と側面部を組み合わせることにより正方形に変形し、端部と端部を組み合わせることにより長方形に変形し、側面部と端部を組み合わせる事によりＬ字形に変形することを特徴とする請求項１に記載の変体型血管造影検査及び血管内手術の補助台。